(57)【要約】【課題】アース線が一体に形成されているか否かに関わらず、外装被覆を一工程で容易に一定の加工状態で剥ぎ取ることのできる被覆剥ぎ取り刃を提供する。【解決手段】一対の被覆剥ぎ取り刃２には、アース線付き複合線５０のシース５１ａに輪切状に切り込みを入れるシース用の輪切刃２ａが形成されている。この輪切刃２ａの外側の端部には、輪切刃２ａと略直角に配置され、アース線５３とシース５１ａとの間に割り込ませる縦切刃２ｂが設けられている。この縦切刃２ｂの外側は、内側に向かって凹形状となるように傾斜面が形成されている。また、輪切刃２ａと並んで、電線５２及びアース線５３の絶縁被覆５２ａ及び５３ａに輪切状の切り込みを形成する輪切刃２ｃが形成されている。【選択図】図５
2015198493.tif 000002
【特許請求の範囲】
【請求項１】
内装被覆で保護された複数の電線を外装被覆で束ねた複合線の前記外装被覆に対してアース線の被覆が接合されたアース付き複合線の被覆を剥ぎ取る被覆剥ぎ取り刃であって、
前記外装被覆と略同じ幅に形成された外装用輪切刃と、
前記外装用輪切刃の対の少なくとも一方の端部において、切断方向が前記外装用輪切刃と略直角に配置され、かつ、前記外装用輪切刃よりも突出した縦切刃と、
を備えたことを特徴とする被覆剥ぎ取り刃。
【請求項２】
前記外装用輪切刃のうち前記縦切刃が設けられていない他方側の端部には、前記外装用輪切刃同士及び前記縦切刃同士の間に、それぞれ所定の間隙が形成されるように突き合わされる凸部が形成されていることを特徴とする請求項１に記載の被覆剥ぎ取り刃。
【請求項３】
前記縦切刃同士の前記所定の間隙は、一方向に間隔が広がるように形成されていることを特徴とする請求項２に記載の被覆剥ぎ取り刃。
【請求項４】
前記外装用輪切刃及び前記凸部に並んで、前記複合線の内装用被覆及び前記アース線の被覆と同等の幅に形成された複数の単線用輪切刃をさらに備えたことを特徴とする請求項１または３に記載の被覆剥ぎ取り刃。
【発明の詳細な説明】
【技術分野】
【０００１】
本発明は、絶縁被覆線の被覆材を端部から所定距離だけ剥ぎ取る被覆剥取工具の被覆剥ぎ取り刃に関するものである。
【背景技術】
【０００２】
絶縁被覆された複数の電線をシースで保護した複合線において、芯線を露出させるためには、シース（外装被覆）と個別の絶縁被覆（内装被覆）とを順に剥ぎ取る必要がある。シースと絶縁被覆とを順に剥ぎ取るための皮剥具の一例を図９に示す。
【０００３】
図９に示した皮剥具１００は、対向刃１０３が互いに近接することにより複合線又は電線を挟持し、輪切り状に切れ目を形成することができる工具である。図９（ａ）、（ｂ）には、この皮剥具１００の対向刃１０３の周辺が拡大して示されている。また、図９（ｃ）には、皮剥具１００の動作状態が示されている。
【０００４】
この皮剥具１００には、４対の輪切刃１０１、１０２が形成されている。このうち、大きい方の２つの輪切刃１０１は、シースを剥ぎ取るために設けられ、小さい方の２つの輪切刃１０２は、芯線の絶縁被覆を剥ぎ取るために設けられている。大小それぞれに２つの輪切刃１０１、１０２が設けられているのは、外径の異なるケーブルに対応するためである。
【０００５】
この皮剥具１００を用いる場合、先ず、対向刃１０３のうち、シースのみを剥ぎ取ることのできるシース用の輪切刃１０１を利用してシースが剥ぎ取られる。そして、絶縁被覆の残った複数の電線が絶縁被覆用の輪切刃１０２で剥ぎ取られ、芯線を露出させることができる。
【０００６】
このような工具を用いると、例えば、エアコンやヒーター等の電気機器内に複合線を配線する場合、機器内の引廻し部分の長さに合わせてシースを剥ぎ取り、端子接続に必要な長さだけ絶縁被覆を剥ぎ取って、芯線を露出させることができる。
【０００７】
ところで、複合線の形態は多種多様であり、中には、取り回しを容易にする目的で、上述のような複合線のシースに対して長手方向の側面に沿ってアース線の絶縁被覆が接合されたアース線付き複合線が用いられることがある。このようなアース線付き複合線では、アース線以外の複合線側が、絶縁被覆とシースとで二重に被覆され、アース線側が、絶縁被覆のみで被覆されている。
【０００８】
このため、図９に示したような皮剥具１００を用いて複合線側のシースを切断しようとすると、接合されているアース線が輪切刃１０１の端部に噛み込まれて干渉するので、切断が阻まれる。また、アース線もろともに輪切を行うと、アース線の絶縁被覆がシースと共に剥ぎ取られてしまうため、アース線だけ無駄に芯線を露出させてしまうことになる。
【０００９】
このため、先ず、アース線を複合線から引き離す工程が必要となる。通常は、複合線と一体になったアース線との境界に縦切用の刃を割り込ませて、縦方向に切り裂いて両者を分離する。こうしてアース線が複合線から分離された状態で、図９に示したような皮剥具１００を用いて、シースと絶縁被覆とが順に除去されるのが一般的である。そして、アース線の絶縁被覆も端子接続に必要な分だけ剥ぎ取られる。
【００１０】
なお、複合線内の個別の電線とアース線とを同時に収容できるように個別の輪切刃を複
数設けておくと、個別の電線及びアース線に対して芯線の露出を一工程で行うことができるので、作業を短縮することも可能である。なお、図９に示した皮剥具１００については、特許文献１に開示がある。
【先行技術文献】
【特許文献】
【００１１】
【特許文献１】登録実用新案第３０３０４６５号公報
【発明の概要】
【発明が解決しようとする課題】
【００１２】
しかしながら、アース線が接合されている複合線は、アース線を複合線から引き離す工程が必要となるので、その分だけ工程が追加される。このため、作業対象が多い場合は煩雑になり、作業効率が著しく低下する。
【００１３】
また、工具を用いずにアース線を手で引き裂いて分離できるように接合部分を弱化部として構成されているアース線付き複合線では、必要以上に分離領域が拡大されてしまうことがあり、ばらつきなく加工するには熟練を要する。
【００１４】
そこで、本発明では、アース線が一体に形成されているか否かに関わらず、外装被覆を一工程で容易に一定の加工状態で剥ぎ取ることのできる被覆剥ぎ取り刃を提供することを目的とする。
【課題を解決するための手段】
【００１５】
上記目的を達成するために、本発明の被覆剥ぎ取り刃は、内装被覆で保護された複数の電線を外装被覆で束ねた複合線の外装被覆に対してアース線の被覆が接合されたアース付き複合線の被覆を剥ぎ取る被覆剥ぎ取り刃であって、外装被覆と略同じ幅に形成された外装用輪切刃と、外装用輪切刃の対の少なくとも一方の端部において、切断方向が外装用輪切刃と略直角に配置され、かつ、外装用輪切刃よりも突出した縦切刃とを備えたことを特徴とする。
【００１６】
また、本発明の被覆剥ぎ取り刃は、上記構成に加えて、外装用輪切刃のうち縦切刃が設けられていない他方側の端部には、外装用輪切刃同士及び縦切刃同士の間に、それぞれ所定の間隙が形成されるように突き合わされる凸部が形成されていることを特徴とする。
【００１７】
また、本発明の被覆剥ぎ取り刃は、上記構成に加えて、縦切刃同士の所定の間隙は、一方向に間隔が広がるように形成されていることを特徴とする。
【００１８】
また、本発明の被覆剥ぎ取り刃は、上記構成に加えて、外装用輪切刃及び凸部に並んで、複合線の内装用被覆及びアース線の被覆と同等の幅に形成された複数の単線用輪切刃をさらに備えたことを特徴とする。
【発明の効果】
【００１９】
以上のように、本発明によれば、アース線と複合電線との境界に縦切刃が配置されるように、複合電線に対して外装用輪切刃を位置合わせを行い、この状態で対向刃を互いに接近させると、複合電線に輪切り状の切り込みが形成されると共に、境界に割入った縦切刃によってアース線と複合電線との間に隙間が形成される。
【００２０】
これにより、接合した（閉じた）状態の対向刃を、そのままケーブルの軸線方向端部側へ滑らせると、アース線と複合電線との接合部分を裂き広げながら外装被覆が抜き取られる。すなわち、挟持により切断し、そのまま抜き取る、という一連の動作によって、アー
ス線に接合された複合電線の外装被覆のみを容易に剥ぎ取ることが可能となる。また、縦切刃が割入った位置から端部までの領域のみ接合が分断されるので、必要以上にアース線が複合電線より引き離されてしまうことを防止できる。
【図面の簡単な説明】
【００２１】
【図１】本発明の実施の形態に係る被覆剥ぎ取り刃を装着した被覆ストリッパーの全体斜視図である。
【図２】図１の被覆ストリッパーによる剥ぎ取り対象となるアース線付き複合線の加工状態を示した図である。
【図３】図１の被覆剥ぎ取り刃を分解した図である。
【図４】シースに切り込みを入れた状態を示した斜視図である。
【図５】図４の状態についてアース線付き複合線の延びる方向から見た概略図である。
【図６】図４の状態についてアース線付き複合線と直交する方向から見た概略図である。
【図７】アース線付き複合線からシースのみが抜き取られた状態を示した図である。
【図８】電線及びアース線に切り込みが入れられた状態を示す図である。
【図９】従来の皮剥具を示した図である。
【発明を実施するための形態】
【００２２】
以下、本発明の被覆剥ぎ取り刃に係る実施の形態について図を用いて説明する。
【００２３】
この被覆ストリッパー１では、２枚の開閉板６が回動軸２０を中心に回動可能に構成されている。そして、この開閉板６の一方に対して、Ｔ字形の摺動板８が取り付けられている。摺動板８には、図１の姿勢において上下に並ぶ２箇所のガイド穴１４が形成されている。そして、このガイド穴１４を貫通して２本のボルト１２が開閉板６に締結されている。これにより、Ｔ字形の摺動板８は、２本のボルト１２をガイドとして上下に摺動可能となっている。
【００２４】
Ｔ字形の摺動板８には被覆剥ぎ取り刃２、３のそれぞれの対の一方側がボルト１０で締結固定されている。そして、これらに対向するように、対を構成する他方側の被覆剥ぎ取り刃２、３が、開閉板６に対してボルト１０で締結固定されている。これにより、操作レバー４を握ると、摺動板８と共に被覆剥ぎ取り刃２、３の対の一方側が降下し、上下に配置された対向する刃が互いに近接する。
【００２５】
なお、このような被覆ストリッパー１の機構については、従来から広く採用されている一般的な構成と同様であるため、上述のような説明にとどめ、以下、本発明の特徴である被覆剥ぎ取り刃２、３について説明する。ただし、被覆剥ぎ取り刃２及び３は、作業対象となる電線の径の違いに応じて設けられたサイズ違いの部材であるため、図２以降では、被覆剥ぎ取り刃２のみについて説明を行っている。
【００２６】
本発明の説明を行う前に、先ず、図２に本実施の形態に係る被覆剥ぎ取り刃２の作業対象となるアース線付き複合線５０を示す。図２には、被覆が剥ぎ取られた加工後の複合線５１及びアース線５３が、分離したシース５１ａ及び絶縁被覆５２ａ、５３ａと共に示されている。
【００２７】
このアース線付き複合線５０では、絶縁被覆５２ａで被覆された２本の電線５２がシース５１ａによって束ねられた複合線５１のシース５１ａに対して、長手方向に沿ってアース線５３が接合されている。シース５１ａの側方に斜線で示した領域が、アース線５３の接合される接合領域５１ｂである。本実施の形態に係る被覆剥ぎ取り刃２は、このようなアース線付き複合線５０のシース５１ａを剥ぎ取るのに適している。
【００２８】
図３には、図１の被覆ストリッパー１に取り付けられた２対の被覆剥ぎ取り刃２、３のうち、１対（被覆剥ぎ取り刃２）が分解状態で示されている。被覆剥ぎ取り刃２は、略板状に形成されており、対向位置にシース５１ａ用の外装用の輪切刃２ａと電線５２の絶縁被覆５２ａ用の内装用の輪切刃２ｃとが並んで形成されている。
【００２９】
本実施の形態に係る被覆剥ぎ取り刃２では、アース線５３用も含めて絶縁被覆５２ａ、５３ａ用の輪切刃２ｃが３対形成されているので、２本の電線５２及びアース線５３の絶縁被覆５２ａ及び５３ａを並べて同時に剥ぎ取ることが可能である。
【００３０】
また、シース５１ａ用の輪切刃２ａと絶縁被覆５２ａ、５３ａ用の輪切刃２ｃとの間、及び、絶縁被覆５２ａ、５３ａ用の輪切刃２ｃの外側にそれぞれ凸部２ｄ、２ｅが形成されている。このうち凸部２ｄ側の端面は谷型に形成されており、凸部２ｅ側の端面は山型に形成されているので、被覆剥ぎ取り刃２を被覆ストリッパー１に締結固定する際、位置合わせが容易である。
【００３１】
また、シース５１ａ用の輪切刃２ａの外側には、この輪切刃２ａに対して刃の向きを略直角に向けて縦切刃２ｂが形成されている。この縦切刃２ｂの外側端面には、刃に向かうに連れて内側へ傾く傾斜面が形成されている。
【００３２】
次に、図４から図８を用いて被覆ストリッパー１の機能説明を行う。図４には、アース線付き複合線５０に対して、複合線５１のシース５１ａ（図２を参照）に切り込みが入れられている状態が示されている。図４に示すように、シース５１ａに輪切状の切り込みを入れる際には、縦切刃２ｂが複合線５１とアース線５３との間の接合部分（図２を参照。）に刃先を割り入れるように配置されている。
【００３３】
この状態で被覆剥ぎ取り刃２同士を近接させるように操作レバー４（図１を参照。）を操作すると、シース５１ａにのみ輪切状の切り込みが形成される。そして、これと同時に、複合線５１とアース線５３との間に縦切刃２ｂの割り込みによる隙間が形成される。
【００３４】
図３を用いて説明したように、縦切刃２ｂの外側面は、突き合わされた被覆剥ぎ取り刃２の内側に向かって凹となるように傾斜面が形成されているので、図４のように縦切刃２ｂが接合部分に切り込まれると、アース線５３には、複合線５１から離れる方向に力が働く。この作用を図５を用いて説明する。
【００３５】
なお、図５では説明の便宜のため、被覆剥ぎ取り刃２以外の構成については図示を省略し、アース線付き複合線５０との関係のみを示している。図５に示すように、シース５１ａ用の輪切刃２ａを用いて、複合線５１のシース５１ａに切り込みを入れると、この輪切刃２ａよりも対向側へ突出するように形成された縦切刃２ｂは、アース線５３と複合線５１との接合領域（図２を参照。）に切り込まれる。そして、縦切刃２ｂの外側に傾斜面が形成されているので、くさび効果により、アース線５３に外向きの力が加わる（矢印８０の向き）。
【００３６】
本実施の形態に係る被覆剥ぎ取り刃２は、凸部２ｄ、２ｅを除き対称な形状の部材で構成されているので、その力の方向は、アース線５３及び２本の電線５２が配置されている同一平面内で働く。ここで、対向するシース５１ａ用の輪切刃２ａ同士の間隔は、電線５２の絶縁被覆５２ａの外径と略同じとなるように形成しておくと、端部側へシース５１ａを分離する際に、最も抵抗が小さくなる。
【００３７】
また、対向する縦切刃２ｂ同士の間隔は、互いに当接する位置まで突出させておくと、アース線５３とシース５１ａとの接合部分を完全に切断することが可能となる。しかし、
くさび作用によってシース５１ａからアース線５３を引き離すのに十分な突出量であれば、閉状態における互いの刃の間に隙間が形成されていても構わない。このように隙間が形成されていると、刃の摩耗を防ぎ、耐久性が向上する。
【００３８】
次に、このときの様子を切断方向から見た平面図を図６に示す。ここでも、説明の便宜のために、被覆ストリッパー１の細かな構成については図示を省略し、シース５１ａ用の輪切刃２ａの刃の位置のみを概念的に示している。この図６によれば、輪切刃２ａと縦切刃２ｂとは、斜線が施されたＬ字形の部分で示されている。図５を用いて示したように、輪切刃２ａがシース５１ａに対して切り込まれた状態では、縦切刃２ｂがアース線５３と複合線５１との間に割り込むので、この割り込まれた周辺のアース線５３が外向きに力を受ける（図中の矢印８０の向き）。この場合、僅かではあるが、アース線５３が迂回するのと同様の効果が生じるので、端部側の一部に縦切刃２ｂ側へ引き寄せられるような力が生じる（矢印８２の向き）。
【００３９】
ここで、図３に示されているように、輪切刃２ａは、断面が縦切刃２ｂと同様にくさび形に形成されている。そして、このくさび形の傾斜面は、縦切刃２ｂが設けられている側に形成されている。このように形成されているので、輪切刃２ａが複合線５１のシース５１ａに切り込まれた際、シース５１ａには、くさび効果により、僅かに端部側へ向かう方向（矢印８３）への力が加わる。すなわち、被覆剥ぎ取り刃２の輪切刃２ａ及び縦切刃２ｂを同時に切り込ませることにより、アース線５３とシース５１ａとの間に長手方向に対して逆方向に向かうせん断力を生じさせることができる。
【００４０】
これにより、輪切刃２ａが切り込まれた位置から端部に向かう領域の接合部分に僅かにずれが生じて接合が緩む。この状態で、操作レバー４をさらに絞り込むと、被覆ストリッパー１の開閉板６（図１を参照）が開くので、シース５１ａは２本の電線５２に沿って端部側へ押し出される。
【００４１】
このとき、既に、アース線５３とシース５１ａとの間の接合が緩くなっているので、大きな抵抗を受けることなく、スムーズにシース５１ａを抜き取ることができる。また、縦切刃２ｂが割り込まれる領域を除いて、アース線５３に対しては引き剥がし方向への力が過度に生じないので、アース線５３の変形を最小限に抑えることができると共に、縦切刃２ｂが割り込まれる位置から端部側のみに接合の緩みが形成されるので、接合の分離領域にばらつきが生じない。このように、本実施の形態に係る被覆剥ぎ取り刃２を用いると、熟練を要することなく、一連の動作のみで正確に、かつ、状態良くシース５１ａのみを剥ぎ取ることが可能となる。
【００４２】
図７には、一連の動作によってシース５１ａのみが端部側へ抜き取られた状態が示されている。上述のように、アース線５３に不要な力を加えることなくシース５１ａを端部側へ抜き取る（剥ぎ取る）ことができるので、シース５１ａ抜き取り後の２本の電線５２とアース線５３とが略平行な関係を保っており、後の作業が容易になる。
【００４３】
図８には、アース線５３及び２本の電線５２の絶縁被覆５２ａ、５３ａに対して、絶縁被覆５２ａ、５３ａ用の輪切刃２ｃによって同時に切り込みが入れられている状態が示されている。上述のように、シース５１ａ抜き取り後も、略３本の線（電線５２、アース線５３）は平行に揃っているので、改めて形状を整える必要もなく、殆どそのまま、絶縁被覆５２ａ、５３ａの剥ぎ取り作業へスムーズに移行することができる。
【００４４】
以上説明したように、本発明に係る被覆剥ぎ取り刃２、３を用いると、アース線付き複合線５０の被覆剥ぎ取り作業が容易になるので作業効率が向上すると共に、加工精度をも向上させることができる。
【００４５】
上記の実施の形態では、シース用の輪切刃と縦切刃とは一体の板状部材で形成された構成を例として示したが、それぞれが十分にくさび効果を生じるような厚さで、且つ、互いに略直角に配置されていれば、別部材で構成されていても同様の効果を得ることが可能である。
【００４６】
また、上記の実施の形態では、対をなす被覆剥ぎ取り刃のそれぞれに、縦切刃が対向するように形成されている構成を例として示したが、少なくとも一方側に縦切刃が設けられていれば、アース線とシースとの間に切り込みを形成することができるので、例えば、一方を縦切刃、他方を、この縦切刃に対向する位置に突き出した受け部として構成しても構わない。
【００４７】
また、上記の実施の形態では、シース用の輪切刃と並んで個別の電線の絶縁被覆を剥ぎ取るための絶縁被覆用の輪切刃が形成されている構成を例として示した。しかし、これら輪切刃がシース用の輪切刃に並設されていない構成であっても構わない。
【００４８】
また、上記の実施の形態では、対向する縦切刃同士の間隔については略平行な間隔となるように図示するにとどめ、本文中では詳しく述べていないが、シース用の輪切刃から離れるに従って（一方向に向かって）次第に間隔を広げるように形成されていると、端部に向かって被覆剥ぎ取り刃をスライドさせる際に抵抗を低減することができるので、よりスムーズにシースの剥ぎ取りを行うことが可能となる。さらに、縦切刃については、対向側のみならず、進行方向にも刃が形成されていると、より抵抗を低減することが可能となる。
【産業上の利用可能性】
【００４９】
本発明の被覆剥ぎ取り刃によれば、シースの輪切工程と、輪切後のシースの抜き取り工程とにおいて、ケーブルを持ち替えることなく一連の動作で完了することができるので、自動化に対して容易に適用することができ、手持ち工具のみならず、自動被覆剥ぎ取り装置等にも有用である。
【符号の説明】
【００５０】
１      被覆ストリッパー
２、３      被覆剥ぎ取り刃
２ａ      輪切刃
２ｂ      縦切刃
２ｃ      輪切刃（単線用）
２ｄ、２ｅ      凸部
４      操作レバー
６      開閉板
８    摺動板
１０、１２      ボルト
１４      ガイド穴
１６      リンク部材
１８      把持部
２０      回動軸
５０      アース線付き複合線
５１    複合線
５１ａ      シース（外装被覆）
５１ｂ      接合領域
５２      電線
５２ａ      絶縁被覆（内装被覆）
５３      アース線
５３ａ      絶縁被覆（内装被覆）
【図１】
2015198493.tif 000003
【図２】
2015198493.tif 000004
【図３】
2015198493.tif 000005
【図４】
2015198493.tif 000006
【図５】
2015198493.tif 000007
【図６】
2015198493.tif 000008
【図７】
2015198493.tif 000009
【図８】
2015198493.tif 000010
【図９】
2015198493.tif 000011